(57)【要約】【課題】回転翼が平衡な時に減少の質量を精確に制御できるインペラを提供し、且つファン回転時の安定性を改善することによって、ファンの信頼性及び寿命を延すことができるファンを提供する。【解決手段】第一ハブ及び第二ハブを有し、前記第一ハブと前記第二ハブが接続されるハブアセンブリにおいて、前記第一ハブに配置された複数の回転翼を含み、前記第二ハブは複数のほぞを有し、前記ほぞは前記第一ハブに向いて延伸され、互いに分離されるインペラ。【選択図】図２Ａ
2008190520.tif 000002
【特許請求の範囲】
【請求項１】
第一ハブ及び第二ハブを有し、前記第一ハブと前記第二ハブとが接続されるハブアセンブリにおいて、
前記第一ハブに配置された複数の回転翼を含み、
前記第二ハブは複数のほぞを有し、前記ほぞは前記第一ハブに向いて延伸され、互いに分離していることを特徴とするインペラ。
【請求項２】
前記第一ハブは複数の係合部を有し、且つ前記係合部は互いに分離しており、且つ前記ほぞは前記係合部にそれぞれ対応して、前記第二ハブの内壁に配置されることを特徴とする請求項１に記載のインペラ。
【請求項３】
前記係合部はほぞ穴をそれぞれ有し、且つ前記ほぞ穴内にスリット或いは開口を有し、前記開口の形状は半円形或いはその他の任意形状を含む請求項２に記載のインペラ。
【請求項４】
前記ほぞの一部の一端は係合部材を含み、前記係合部に対応して設置されて、前記第一ハブ及び前記第二ハブを固定することを特徴とする請求項２に記載のインペラ。
【請求項５】
前記ほぞの係合構造は少なくとも一つの突出部を有し、前記突出部は前記係合構造の少なくとも１つの側辺に配置されることを特徴とする請求項４に記載のインペラ。
【請求項６】
前記ほぞは複数の解体可能な部分をそれぞれ含み、前記解体可能な部分は除去工具によって取り除くことができ、前記インペラの回転バランスを得ることを特徴とする請求項１に記載のインペラ。
【請求項７】
前記ほぞと前記第二ハブとは一体成型の構造であり、前記ほぞの材料は弾性材料或いはプラスチックである請求項１に記載のインペラ。
【請求項８】
前記第二ハブは少なくとも一つの収容部を更に含み、前記収容部は前記第二ハブの周縁に配置される請求項１に記載のインペラ。
【請求項９】
前記収容部内に充填する平衡部を含み、前記インペラの回転バランスを調整し、前記平衡部はエポキシ樹脂、粘土、高粘性物質或いは金属クリップであることを特徴とする請求項８に記載のインペラ。
【請求項１０】
第一ハブ及び第二ハブを有し、且つ前記第一ハブと前記第二ハブが接続されるハブアセンブリにおいて、
前記第一ハブに配置された複数の回転翼を含み、
前記第二ハブは複数のほぞを有し、前記第一ハブに向いて延伸され、前記ほぞは互いに分離されるインペラと、
前記インペラを収容するファンフレームとを含むことを特徴とするファン。
【請求項１１】
前記ファンフレームはベース及び複数の静翼を更に含み、前記ベースは前記ファンフレーム内に配置され、前記静翼は前記ベースと前記ファンフレームとの間に配置されることを特徴とする請求項１０に記載のファン。
【発明の詳細な説明】
【技術分野】
【０００１】
本発明はファン及びそのインペラに関し、特に回転バランスが安定したファン及びそのインペラに関するものである。
【背景技術】
【０００２】
現在のファンは既に広く大衆に用いられている。ファンがインペラを回転する方式で圧力差を生じさせて気流を発生する装置であることから、インペラの回転時の平衡性が製造者の基本的な需求となっている。
【０００３】
図１は従来のインペラの立体図である。従来のインペラ１は、ハブ１１及びハブ１１の周囲に設置される複数の回転翼１２を含む。インペラ１を回転振動試験の時に、より調整することができるように、ハブ１１は複数のほぞ穴１３を有し、製造者は必要により適量の平衡部をほぞ穴１３に充填して、当該平衡部の重量によりインペラ１の回転バランスを調整する。
【０００４】
平衡部は、一般的に高粘性物質の材料で、例えば、エポキシ樹脂或いは粘土等である。しかし、工具で平衡部をほぞ穴に入れる時、平衡部の高粘性により工具と平衡部とを分離し難く、作業上の不便が生じ、バランスの調整に非常に時間が掛かることになる。或いは、現有のほぞ穴の設計により、平衡部は、インペラの回転時に溢れ出し易く、バランス調整の効果を低下させる。
【０００５】
その他のバランスを調整する方式は、例えば金属の平衡部を用いて、回転翼或いはその他の空間内に平衡部を固定する。或いは工具を用いて、ハブに穴を穿孔する方式で円滑に回転させるためにバランスを調整することができる。しかし、上述のバランスの調整方式は、インペラ回転時に金属の平衡部が落ち易く、減少の質量に対して制御し難い欠点がある。
【０００６】
よって、如何にして、回転バランスの調整の効果を容易に達成し、且つ平衡部が回転時に溢れ出し難いインペラを提供し、ファンの信頼性及び寿命を高めるかが重要な課題の一つとなる。
【発明の開示】
【発明が解決しようとする課題】
【０００７】
上述に鑑みて、本発明の目的は回転翼が平衡な時に減少の質量を精確に制御できるインペラを提供することである。
【０００８】
本発明のもう一つの目的はファン回転時の安定性を改善することによって、ファンの信頼性及び寿命を延すことができるファンを提供することである。
【課題を解決するための手段】
【０００９】
上述或いはその他の目的に基づいて、本発明は、ハブアセンブリ及び複数の回転翼を含むインペラを提供する。ハブアセンブリは第一ハブ及び第二ハブを含み、第二ハブと第一ハブはと互いに接続され、複数の回転翼は第一ハブに配置される。第二ハブは複数のほぞ（ｔｅｎｏｎ）を有し、第一ハブに向いて延伸され、ほぞ間は互いに分離している。
【００１０】
本発明の構想に基づき、上述のインペラの第一ハブは複数の係合部を有し、且つ互いに分離している。
【００１１】
本発明の構想に基づき、上述のインペラの複数のほぞは複数の係合部にそれぞれ対応し、前記第二ハブの内壁に配置される。
【００１２】
本発明の構想に基づき、一部のほぞの一端は係合部材を有し、複数の係合部に対応して設置され、第一ハブ及び第二ハブを固定する。
【００１３】
本発明の構想に基づき、ほぞは複数の解体可能な部分をそれぞれ含む。解体可能な部分は除去工具によって取り除き、前記インペラの回転バランスを得る。
【００１４】
本発明の構想に基づき、ほぞと第二ハブは一体成型の構造である。
【００１５】
本発明の構想に基づき、ほぞは弾性材料を含み、その材料は、例えばプラスチック材質である。
【００１６】
本発明の構想に基づき、第二ハブ上に配置される少なくとも一つの収容部を更に含む。収容部内に平衡部を充填して、前記インペラの回転バランスを達成する。平衡部は、高粘性物質或いは金属クリップを含み、高粘性物質の材料は、例えばエポキシ樹脂或いは粘土である。
【００１７】
本発明のもう一つのファンは、ファンフレーム及び上述のインペラを含み、インペラはファンフレーム内に配置される。
【００１８】
本発明のファン及びインペラは、複数の解体可能な部分を有するほぞを含むことから、インペラの回転バランスを調整している時、ほぞの解体可能な部分を取り除くことによって、バランスを取る。減少の質量を精確に制御でき、安全性も高めることができる。よって、上述のインペラを用いたファンは、回転安定性が比較的良く、信頼性及び寿命も比較的良い。
【発明の効果】
【００１９】
本発明のファンは、回転の安定性が好ましいインペラを採用しているので、回転時に騒音が発生しない。よって、本発明のファンは好ましい品質を有している。
【発明を実施するための最良の形態】
【００２０】
本発明についての目的、特徴、長所が一層明確に理解されるよう、以下に実施形態を例示し、図面を参照にしながら、詳細に説明する。
【００２１】
図２Ａは、本発明の好ましい実施例１のインペラの立体図である。図２Ａを参照すると、本実施例のインペラ２は、少なくとも一つのハブアセンブリ及び回転翼２２等の部材を含む。ハブアセンブリは、第一ハブ２１a及び第二ハブ２１ｂを含み、第一ハブ２１aと第二ハブ２１ｂとは互いに接続される。
【００２２】
上述を受けて、第一ハブ２１aは底部２１１、囲壁２１２、及び複数の係合部２１３を含む。囲壁２１２は底部２１１の周縁より上向きに延伸し、且つ囲壁２１２と第二ハブ２１ｂとが互いに連接し、第一ハブ２１aと第二ハブｂとの間に収容空間を形成する。また、底部２１１の表面は複数の係合部２１３を含み、各係合部２１３との間は互いに分離している。係合部２１３はほぞ穴２１３ａを有し、ほぞ穴２１３ａ内はスリット或いは開口を有する。その開口の形状は、例えば半円形或いはその他の任意形状である。
【００２３】
第二ハブ２１ｂは内壁に配置された複数のほぞ２１４を含む。各ほぞ２１４の間は一定距離で互いに分離される。ほぞ２１４は第一ハブ２１ａと第二ハブ２１ｂとに形成された収容空間にあり、第二ハブ２１ｂの底部より第一ハブ２１ａの底部２１１に向いて延伸される。本実施例では、ほぞの材料は弾性材料を含み、その材料は例えば、プラスチックであるが、これを限定するものではない。ほぞ２１４の一端は係合構造２１４ａを有し、係合構造２１４ａの形状は、図３に示される長方形を限定するものではなく、実際の必要に応じて決めることができる。例えば、半円形或いはその他の任意形状であり、その形状及びサイズは、係合部のスリット或いは開口のサイズ及び形状に対応する。また、ほぞの係合構造２１４ａは、両辺に突出部を有することもでき、或いは片辺に突出部を有することもできる。図３に示されるように、その突出部はインペラの軸心から遠のく、或いはインペラの軸心に向く。
【００２４】
本実施例では、第一ハブ２１ａの係合部２１３の位置はほぞ２１４の位置に対応して設置される。第一ハブ２１ａと第二ハブ２１ｂとが結合する時、ほぞの係合構造２１４ａは係合部２１３内に貫入され、且つ凹槽２１３ａを穿通して係合される。よって、第一ハブ２１ａ及び第二ハブ２１ｂは、係合部２１３とほぞ２１４の結合によって固定されることができる。
【００２５】
図２Ｂを参照すると、本実施例では、ほぞ２１４は解体可能なタイプである。即ち、ほぞ２１４は複数の解体可能な部分を含む。図２Ｂは、図２ＡのＸの局部拡大図であり、第一ハブ２１ａと第二ハブ２１ｂとが結合する前に、ほぞ２１４を先に分段して標示し、バランス調整の試験時に不平衡な所及び不平衡な程度に基づいて、必要なほぞの切断の数を決定し、且つほぞ２１４を標示に基づいて分段して裁断し、例えば、ペンチ等の除去工具を用いて、ほぞの取り除くべき部分を取り除くことで、回転翼のバランスをとる目的を達する。本実施例では、ほぞは部分的に取り除かれるため、インペラ回転時の安定性に影響を及ぼすことはなく、且つ精確に減少すべき質量を制御できる。
【００２６】
図４は、本発明の好ましい実施例２のインペラ３の立体図を表している。本実施例と実施例１の異なる所は、第二ハブ２２ｂの周縁には、例えば、穿孔或いは凹陥部の複数の収容部２１５が形成されており、その形状は例えば、円形、長方形或いは不規則形であるが、これを限定するものではない。収容部２１５は図４に示される位置に限定されず、収容部２１５は第二ハブ周縁の任意の位置に配置することができ、インペラの回転バランスをとることができれば良い。収容部２１５は平衡部の充填に提供されることができ、製造者の必要性により、インペラの回転バランスを調整する効果を達成することができる。本実施例では、収容部２１５内に充填する平衡部は、高粘性物質或いは金属クリップを含み、高粘性物質の材料は、例えばエポキシ樹脂或いは粘土である。
【００２７】
図５は本発明の実施例３のファンの構造図を表している。本実施例のファン４はファンフレーム３１及び上述のインペラ２または３を含む（図２または図４に示されるように）。インペラ２または３はファンフレーム３１内に配置され、ベース３２はファンフレーム３１内に配置され、且つ複数の静翼３３はベース３２とファンフレーム３１との間に配置される。静翼３３はファンの排気口側（図に示されていない）に位置されるが、静翼はファンの吸気口側（図に示されていない）に設置可能でもあり、或いはファンの吸気口側と排気口側とに位置可能である。
【００２８】
本実施例のファンは、回転の安定性が好ましいインペラを採用しているので、回転時に騒音が発生しない。よって、本実施例のファンは好ましい品質を有している。
【００２９】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３０】
【図１】従来のインペラの立体図を表している。
【図２Ａ】本発明の実施例１のインペラの立体図を表している。
【図２Ｂ】図２ＡのＸの局部拡大図を表している。
【図３】本発明のほぞの側面図を表している。
【図４】本発明の実施例２のインペラの立体図を表している。
【図５】本発明の実施例３のファンの構造図を表している。
【符号の説明】
【００３１】
１、２、３  インペラ                  
４  ファン
２１５  収容部
１１  ハブ                      
３１  ファンフレーム
１２、２２  回転翼                    
３２  ベース
１３  ほぞ穴                        
３３  静翼
２１１  底部                        
２１a   第一ハブ
２１２  囲壁                        
２１ｂ、２２ｂ  第二ハブ
２１３  係合部                      
２１３a  ほぞ穴
２１４  ほぞ                        
２１４a  係合構造
【図１】
2008190520.tif 000003
【図２Ａ】
2008190520.tif 000004
【図２Ｂ】
2008190520.tif 000005
【図３】
2008190520.tif 000006
【図４】
2008190520.tif 000007
【図５】
2008190520.tif 000008